(57)【特許請求の範囲】
【請求項１】
N-ヤシ油脂肪酸アシルグルタミンおよびその塩から選ばれる化合物を１以上配合してなる洗浄剤組成物。
【発明の詳細な説明】
技術分野
本発明は、泡立ち、泡切れおよび使用感に優れるＮ−長鎖アシルアミノ酸またはその塩類を含有してなる洗浄剤組成物に関する。
背景技術
Ｎ−長鎖アシルアミノ酸の無機塩または有機塩は、界面活性作用に加え殺菌作用を有し、これらを含有する洗浄剤は皮膚に対し緩和な作用と優れた洗浄力を有することから、洗浄剤組成物の主成分として広く用いられている（特公昭５４−３８６０４号公報、特公平５−８３５３８号公報、特公昭６０−２７７２０号公報）。
しかし、洗浄剤として用いられるＮ−長鎖アシルアミノ酸塩のうち、第３級アミド型Ｎ−長鎖アシルアミノ酸塩は、水溶性に優れる反面、泡切れが悪く、ぬるつきを生じること、第２級アミド型Ｎ−長鎖アシルアミノ酸塩は、泡持が悪く、使用感に劣ることが知られ、これらの問題を解決する方法として、Ｎ−長鎖アシルアミノ酸にＮ−長鎖アシルジペプチドを配合する方法（特開平５−７８６９３号公報）が知られている。
Ｎ−アシルグルタミンについては、育毛作用（特開平６−３２７２６号公報）およびメラニン生成を阻害する作用（特開平６−１５７２８４号公報）を有することは知られているが、洗浄剤としての用途は知られていない。
発明の開示
本発明によれば、式（Ｉ）
0003888692.tif 000002
（式中、ｎは１または２を表し、Ｒは炭素数５〜２３の飽和または不飽和の炭化水素基を表す）で表されるＮ−長鎖アシルアミノ酸およびその塩から選ばれる化合物〔以下、化合物（Ｉ）という〕を１以上配合してなる洗浄剤組成物を提供することができる。
化合物（Ｉ）の定義において、炭素数５〜２３の飽和炭化水素基としては、直鎖または分岐状の、例えばペンチル、イソペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘンエイコシル、ドコシル、トリコシル等を表し、炭素数５〜２３の不飽和炭化水素基としては、直鎖または分岐状の、例えばペンテニル、３−メチル−１−ブテニル、ヘキセニル、ヘプテニル、オクテニル、ノネニル、デセニル、ウンデセニル、ドデセニル、トリデセニル、テトラデセニル、ペンタデセニル、ヘキサデセニル、ヘプタデセニル、オクタデセニル、ノナデセニル、エコセニル、ヘンエイコセニル、ドコセニル、トリコセニル、１，３−ペンタジエニル、８，１１−ヘプタデカジエニル、８，１１，１４−ヘプタデカトリエニル、４，７，１０，１３−ノナデカテトラニエル等を表す。
飽和炭化水素基としては、直鎖または分子の炭素数１１〜１７の、例えばウンデシル、ドデシル、トリデシル、テトラデシル、ペンタデシル、ヘキサデシル、ヘプタデシル等が好ましく、不飽和炭化水素基としては、直鎖または分子の炭素数１１〜１７の例えばウンデセニル、ドデセニル、トリデセニル、テトラデセニル、ペンタデセニル、ヘキサデセニル、ヘプタデセニル、１，３−ペンタジエニル、８，１１−ヘプタデカジエニル、８，１１，１４−ヘプタデカトリエニル等が好ましい。
化合物（Ｉ）の塩としては、ナトリウム、カリウム、リチウム等のアルカリ金属塩、カルシウム、マグネシウム等のアルカリ土類金属塩、アンモニウム塩、モノエタノールアミン、ジエタノールアミン、トリエタノールアミン、トリイソプロパノールアミンなどのアミンの付加塩およびアルギニン、リジン等の塩基性アミノ酸の付加塩などがあげられる。
化合物（Ｉ）は、直鎖または分岐鎖の炭素数６〜２４の飽和または不飽和の脂肪酸（以下、長鎖脂肪酸という）を塩化チオニル、ホスゲン等のハロゲン化剤を用いてクロライド、ブロマイド等のハロゲン化物に変換した後、グルタミンおよびアスパラギンから選ばれるアミノ酸（以下、単にアミノ酸という）と縮合させるか、または長鎖脂肪酸を酸無水物に変換した後、アミノ酸と反応させることにより製造することができる。
長鎖脂肪酸としては、例えばカプロン酸、エナント酸、カプリル酸、ペラルゴン酸、カプリン酸、ウンデシル酸、ラウリン酸、トリデシル酸、ミリスチン酸、ペンタデシル酸、パルミチン酸、ステアリン酸、イソステアリン酸、ノナデカン酸、アラキン酸、ベヘン酸、リグノセリン酸、オレイン酸、ソルビン酸、リノール酸、リノレン酸、アラキドン酸等の単一組成物の脂肪酸、ヤシ油脂肪酸、パーム核油脂肪酸等の混合組成の脂肪酸などがあげられる。
酸ハロゲン化物を経由する化合物（Ｉ）の製造方法を、以下に例示する。
長鎖脂肪酸を塩化メチレン、クロロホルム、四塩化炭素、ベンゼン、トルエン、キシレン、ｎ−ヘキサン等の溶媒中に分散し、これに１〜５倍当量のハロゲン化剤を添加して反応させ、長鎖脂肪酸ハライドを得る。次に、アミノ酸を溶媒に溶解または分散させ、得られた溶液を５〜７０℃に保ちながら、上記の長鎖脂肪酸ハライドをアミノ酸に対して０．３〜１．０倍当量加え、アシル化反応を行うことにより化合物（Ｉ）を製造することができる。
アシル化反応に用いられる溶媒としては、水、メタノール、エタノール、イソプロパノール、イソブタノール、アセトン、トルエン、テトラヒドロフラン、酢酸エチル、Ｎ，Ｎ−ジメチルホルムアミド、ジメチルスルホキシド等があげられ、これらは単独あるいは混合して用いてもよい。アミノ酸を溶媒に溶解または分散する際、アミノ酸に対して０．８〜２．０倍当量の水酸ナトリウム、水酸化カリウム等のアルカリ物質を必要に応じて溶媒に溶解または分散させてもよい。
化合物（Ｉ）の塩を取得したいとき、化合物（Ｉ）が塩の形で得られる場合には、そのまま精製すればよく、遊離の形で得られる場合には、適当な溶媒に溶解または懸濁し、塩基を加えて塩を形成させればよい。
本発明の洗浄剤組成物における化合物（Ｉ）の配合量は、通常１〜９０重量％、好ましくは３〜８０重量％である。
本発明の洗浄剤組成物には、必要に応じて色素、香料、可溶化剤、ビルダー等の補助剤を添加してもよいし、泡立ちや洗浄性を調整するためにアニオン界面活性剤、カチオン界面活性剤、両性界面活性剤、非イオン性界面活性剤等の界面活性剤を添加してもよい。
界面活性剤としては、例えば脂肪酸石鹸、高級アルコール硫酸エステル塩、ポリオキシエチレン高級アルコール硫酸エステル塩、高級アルコールリン酸エステル塩、ポリオキシエチレン高級脂肪酸リン酸エステル塩、スルホン化高級脂肪酸塩、スルホン化高級脂肪酸アルコールエステル塩、イセチオン酸高級脂肪酸エステル塩、α−スルホ高級脂肪酸エステル塩、高級アルキルジメチルベンジルアンモニウム塩、高級アルキルアミン、高級アルキルトリメチルアンモニウム塩、高級脂肪酸ジエタノールアミドおよびそのエチレンオキサイドもしくはプロピレンオキサイド付加物、高級脂肪酸モノエタノールアミドおよびそのエチレンオキサイドもしくはプロピレンオキサイド付加物、ポリオキシエチレン高級脂肪酸モノエタノールアミドリン酸エステル、Ｎ−長鎖アシル酸性アミノ酸塩、Ｎ−長鎖アシルザルコシン塩、Ｎ−長鎖アシル−β−アラニン塩等のＮ−長鎖アシルアミノ酸塩、ラウリルアミノプロピオン酸塩などの高級アルキルアミノプロピオン酸塩、ラウリルイミノジ酢酸塩などの高級アルキルイミノジ酢酸塩、高級アルキルジメチルベタイン、高級アルキルジヒドロキシエチルベタイン、Ｎ−アルカノイル−Ｎ’−（２−ヒドロキシエチル）−Ｎ’−カルボキシメチルエチレンジアミン塩、Ｎ−アルカノイル−Ｎ−（２−ヒドロキシエチル）−Ｎ’，Ｎ’−ビスカルボキシメチルエチレンジアミン等のアミンアミド化合物などがあげられる。
本発明の洗浄剤組成物は、シャンプー、洗顔料、身体洗浄剤、台所用洗浄剤等の用途に用いることができる。
以下に、本発明の洗浄剤組成物について、泡立ち、泡切れおよび使用感に関する評価を行った試験例を示す。
試験例１
参考例１で得られるＮ−ラウロイルグルタミンナトリウムおよび参考例２で得られるＮ−ヤシ油脂肪酸アシルグルタミンナトリウムをそれぞれ３０重量％含有する水溶液（以下、それぞれ発明品１および発明品２という）を作成した。発明品１及び発明品２並びにＮ−ヤシ油脂肪酸アシル−Ｌ−グルタミン酸ナトリウム（以下、比較品１という）、Ｎ−ヤシ油脂肪酸−Ｎ−メチル−β−アラニンナトリウム（以下、比較品２という）及びＮ−ヤシ油脂肪酸アシルグリシンカリウム（以下、比較品３という）について、それぞれ成分濃度が１．２重量％になるように水溶液を調製し、得られた水溶液１００ｍｌ（液温３０℃）を目盛り付シリンダーに注入した。次いで、攪拌羽根を上記溶液中に設置し、攪拌羽根の回転数１５００ｒｐｍで１分間攪拌を行った。攪拌終了後、生じた泡の体積（ｍｌ）を測定し、泡立ち量とした。また、攪拌修了２分後、泡の体積を測定し、泡立ち残存量とした。
結果を第１表に示す。
0003888692.tif 000003
試験例２
試験例１で調製した１．２重量％水溶液について、それぞれ男女各１０名をパネラーとして、皮膚および毛髪の洗浄を実施し、その際の官能評価を行った。評価は下記基準による平均値を算出し、平均値が４．５以上を非常に良好（◎）、３．５〜４．４を良好（○）、２．５〜３．４を普通（△）、２．４以下を不良（×）と判定した。
Ａ）洗髪時のぬるつき、およびＥ）乾燥時のきしみ感
５：ほとんどない
４：少しある
３：普通
２：かなりある
１：非常にある
Ｂ）すすぎ時の泡切れ
５：泡切れが良い
４：泡切れがやや良い
３：普通
２：泡切れがやや悪い
１：泡切れが悪い
Ｃ）すすぎ時の滑り、Ｄ）すすぎ後の滑りおよびＦ）乾燥後の滑り
５：滑りが良い
４：滑りがやや良い
３：普通
２：滑りがやや悪い
１：滑りが悪い
結果を第２表に示す。
0003888692.tif 000004
第１および２表から明らかなように、本発明の洗浄剤組成物は、泡立ち、泡切れおよび使用感に優れるものであった。
以下に、本発明の実施例を示す。
発明を実施するための最良の形態
実施例１  洗顔クリーム
以下の処方からなる洗顔クリームを製造した。
0003888692.tif 000005
（調製法）
第３表に示される成分のうち、▲８▼〜▲１０▼および▲１２▼を８０〜９０℃で加温溶解した後、すみやかに▲１▼〜▲７▼を８０〜９０℃で加温溶解したものを攪拌しながら徐々に加え、さらに６０℃で▲１１▼を加えて攪拌混合しながら室温まで冷却し、本製品を得た。
実施例２  シャンプー（液状）
0003888692.tif 000006
（調製法）
第４表に示される成分のうち、▲１▼〜▲４▼および▲６▼を８０〜９０℃で加温溶解した後、徐々に冷却し、６０℃で▲５▼を加えて攪拌混合しながら室温まで冷却し、本製品を得た。
実施例３  ボディシャンプー
0003888692.tif 000007
（調製法）
第５表に示される成分のうち、▲１▼〜▲８▼および▲１０▼を８０〜９０℃で加温溶解した後、徐々に冷却し、６０℃で▲９▼を加えて攪拌混合しながら室温まで冷却し、本製品を得た。
参考例  Ｎ−ラウロイルグルタミンの製造
（１）ハロゲン化反応
塩化メチレン３００ｍｌにラウリン酸１００ｇを分散して２０℃に保ち、塩化チオニル３５．５ｇを攪拌しながら３０分間かけて添加し、さらに３時間攪拌しながら反応を行った。反応終了後、反応液の赤外吸収スペクトルを測定したところ、カルボン酸（−ＣＯＯＨ）に由来する１６９５ｃｍ-1のピークが消失し、酸塩化物（−ＣＯＣｌ）に由来する１７８５ｃｍ-1のピークが生成していることから塩化ラウロイルが生成していることを確認した。この反応液に窒素ガスを通じながら、減圧下で塩化メチレン、塩化チオニルおよび塩化水素を留去した後、２２ｍＨｇ減圧下に、１５０℃沸点の留分として９６ｇの塩化ラウロイルを得た。
（２）アシル化反応
水７５ｍｌに水酸化カリウム１９．５ｇを溶解させた溶液に、グルタミン５０ｇを添加して分散させた。得られた溶液を２０℃に保ち、テトラヒドロフラン１４５ｍｌに（１）で得られた塩化ラウロイル７２ｇを溶解した溶液および２５％水酸化カリウム水溶液７３．９ｇを攪拌しながら１時間かけて滴下した。滴下終了後、同じ温度で４時間攪拌を行った後、攪拌しながら反応液のｐＨが１．０になるまで６Ｎ塩酸を添加し、さらに１時間攪拌して反応を行った。反応終了後、析出した結晶を濾過により回収して乾燥させ、１０１．４ｇの結晶を得た。得られた結晶について、赤外吸収スペクトルの測定および元素分析を行った。
赤外吸収スペクトル（ＫＢｒ錠剤）（ｃｍ-1）：
１７３５、１６５０、１５６５
元素分析値（％）：Ｃ17Ｈ32Ｏ4Ｎ2
理論値：C 62.17,H 9.82,N 8.53
実則値：C 62.42,H 9.69,N 8.43
以上の結果より、Ｎ−ラウロイルグルタミンであることを確認した。
参考例２  Ｎ−ヤシ油脂肪酸アシルグルタミンの製造
（１）ハロゲン化反応
塩化メチレン３００ｍｌにヤシ油脂肪酸１００ｇを分散して２０℃に保ち、塩化チオニル３０．２ｇを攪拌しながら３０分間かけて添加し、さらに３時間攪拌しながら反応を行った。反応終了後、反応液の赤外吸収スペクトルを測定したところ、カルボン酸（−ＣＯＯＨ）に由来する１６９５ｃｍ-1のピークが消失し、酸塩化物（−ＣＯＣｌ）に由来する１７８５ｃｍ-1のピークが生成していることから塩化ラウロイルが生成していることを確認した。この反応液を減圧し、塩化メチレン、塩化チオニルならびに副生した二酸化イオウおよび塩化水素を留去した後、５ｍｍＨｇ減圧下に、１０５〜２００℃沸点の留分として９２．８ｇの塩化ヤシ油脂肪酸を得た。
（２）アシル化反応
水７５ｍｌに水酸化カリウム１９．５ｇを溶解させた溶液に、グルタミン５０ｇを添加して分散させた。得られた溶液を３５〜４０℃、ｐＨ８．５〜９．５に保ち、テトラヒドロフラン１４５ｍｌに（１）で得られた塩化ヤシ油脂肪酸８２．２ｇを溶解した溶液および２５％水酸化カリウム水溶液７３ｇを攪拌しながら１時間かけて滴下した。滴下終了後、同じ温度で４時間攪拌を行った後、攪拌しながら反応液のｐＨが１．０になるまで６Ｎ塩酸を添加し、さらに１時間攪拌して反応を行った。反応終了後、析出した結晶を濾過により回収して乾燥させ、１０４．９ｇの結晶を得た。得られた結晶について、赤外吸収スペクトルの測定および元素分析を行った。
赤外吸収スペクトル（ＫＢｒ錠剤）（ｃｍ-1）：
１７４０、１６４０、１５５０
元素分析：
（１）で得られた塩化ヤシ油脂肪酸を水を用いて分解し、ヤシ油脂肪酸の構成脂肪酸をガスクロマトグラフィーにより分析し、構成脂肪酸の組成比より平均分子量を算出したところ、２３４．５８であった。Ｎ−ヤシ油脂肪酸アシルグルタミンの平均分子量に基づいて算出された元素分析の理論計算値および（２）で得られた化合物の元素分析の実測値は、以下のとおりであった。
理論計算値:C 63.91,H 10.73,N 7.72
実測値    :C 64.02,H 10.70,N 7.59
以上の結果より、得られた化合物が式（II）
0003888692.tif 000008
（式中、Ｘはヤシ油脂肪酸由来のアシル基を表す）で表されるＮ−ヤシ油脂肪酸アシルグルタミンであることを確認した。
産業上の利用可能性
本発明によれば、シャンプー、洗顔料、身体洗浄剤、台所用洗剤等に有用な、泡立ち、泡切れおよび使用感に優れた洗浄剤組成物を提供することができる。